(57)【要約】【課題】既設構造物と新設のコンクリート構造物との間が狭隘な場合でも、新設のコンクリート構造物を構築することができるコンクリート構造物の構築方法および型枠構造を提供する。【解決手段】外側型枠仮設工程は、突出部１３３と近接して対向する外側面３３２ａと突出部１３３との隙間を下側から覆う下板部５１を空部１４から仮設する下板部仮設工程と、下板部仮設工程の後に、下板部５１の上側において外側面３３２ａに沿って外側押さえ部５３を仮設する外側押さえ部仮設工程と、下板部５１の上側において外側押さえ部５３と突出部１３３との間に砂５４を充填する砂充填工程と、を有し、外側型枠撤去工程は、下板部５１を撤去し、砂５４を空部１４に落下させて外側押さえ部５３と突出部１３３との間から撤去する砂撤去工程と、構築された浮基礎３と床スラブ１との間から外側押さえ部５３を撤去する外側押さえ部撤去工程と、を有する。【選択図】図２
2019015063.tif 000002
【特許請求の範囲】
【請求項１】
既設構造物に隣接して新設のコンクリート構造物を構築するコンクリート構造物の構築方法において、
前記既設構造物は、上部側に形成され下部側よりも前記コンクリート構造物側に突出する突出部を有し、前記突出部の下側には空部が形成されていて、
前記コンクリート構造物が構築される領域における前記突出部と近接して対向する外側面に沿って外側型枠を仮設する外側型枠仮設工程と、
前記コンクリート構造物が構築される領域における前記突出部と離間する内側面に沿って内側型枠を仮設する内側型枠仮設工程と、
前記外側型枠と前記内側型枠との間にコンクリートを充填してコンクリート構造物を構築するコンクリート充填工程と、
前記コンクリート充填工程の後に、前記内側型枠を撤去する内側型枠撤去工程と、
前記コンクリート充填工程の後に、前記外側型枠を撤去する外側型枠撤去工程と、を有し、
前記外側型枠仮設工程は、前記外側面と前記突出部との隙間を下側から覆う下板部を前記空部から仮設する下板部仮設工程と、
下板部仮設工程の後に、前記下板部の上側において前記外側面に沿って外側押さえ部を仮設する外側押さえ部仮設工程と、
前記下板部の上側において前記外側押さえ部と前記突出部との間に砂を充填する砂充填工程と、を有し、
前記外側型枠撤去工程は、前記下板部を撤去し、前記砂を前記空部に落下させて前記外側押さえ部と前記突出部との間から撤去する砂撤去工程と、
構築された前記コンクリート構造物と前記既設構造物との間から前記外側押さえ部を撤去する外側押さえ部撤去工程と、を有することを特徴とするコンクリート構造物の構築方法。
【請求項２】
前記外側押さえ部は、前記外側面に沿って仮設される押さえ板部と、
上下方向に延びる向きで前記押さえ板部の前記突出部側に固定されたＣ形鋼と、を有し、
前記砂充填工程では、前記Ｃ形鋼の内部にも前記砂を充填することを特徴とする請求項１に記載のコンクリート構造物の構築方法。
【請求項３】
既設構造物に隣接して新設のコンクリート構造物を構築するための型枠構造において、
前記既設構造物は、上部側に形成され下部側よりも前記コンクリート構造物側に突出する突出部を有し、前記突出部の下側には空部が形成されていて、
前記型枠構造は、前記コンクリート構造物が構築される領域おける前記突出部と近接して対向する外側面に沿って仮設される外側型枠を有し、
前記外側型枠は、前記外側面と前記突出部との隙間の下側を覆うように仮設可能な下板部と、
前記下板部の上側において前記外側面に沿って仮設可能な外側押さえ部と、
前記下板部の上側において前記外側押さえ部と前記突出部との間に充填可能な砂と、を有することを特徴とする型枠構造。
【請求項４】
前記外側押さえ部は、前記外側面に沿って仮設される押さえ板部と、
上下方向に延びる向きで前記押さえ板部の前記突出部側に固定されたＣ形鋼と、を有し、
前記砂は、前記Ｃ形鋼の内部にも充填されることを特徴とする請求項３に記載の型枠構造。
【発明の詳細な説明】
【技術分野】
【０００１】
本発明は、コンクリート構造物の構築方法および型枠構造に関する。
【背景技術】
【０００２】
既設構造物に隣接させて新設のコンクリート構造物を構築する際に、既設構造物と新設のコンクリート構造物との間が狭隘で作業員が入ることができないことがある。このような場合に、新設のコンクリート構造物の外側（既設構造物側）に配置される型枠の仮設や撤去を、内側（新設のコンクリート構造物側）から行うことができるコンクリート構造物の構築方法および型枠構造が知られている（例えば、特許文献１および２参照）。
【先行技術文献】
【特許文献】
【０００３】
【特許文献１】特公昭４６−４７９１号公報
【特許文献２】特公昭４６−２３８５７号公報
【発明の概要】
【発明が解決しようとする課題】
【０００４】
しかしながら、既設構造物と新設のコンクリート構造物との間が１００ｍｍ以下の場合、特許文献１および２に開示されたような型枠であっても設置が困難である。
また、このような場合に、新設のコンクリート構造物の型枠としてスタイロフォーム（登録商標：ダウ化工株式会社製）などの押出し発泡ポリスチレンを用いた型枠を使用したとしても、コンクリート構造物が構築された後の押出し発泡ポリスチレンの撤去が困難である。
更に、型枠と既設構造物との間にセパレータを設けることが困難で、片押型枠となるため、大断面のコンクリート構造物の構築が困難である。
【０００５】
そこで、本発明は、既設構造物と新設のコンクリート構造物との間が狭隘な場合でも、新設のコンクリート構造物を構築することができるコンクリート構造物の構築方法および型枠構造を提供することを目的とする。
【課題を解決するための手段】
【０００６】
上記目的を達成するため、本発明に係るコンクリート構造物の構築方法では、既設構造物に隣接して新設のコンクリート構造物を構築するコンクリート構造物の構築方法において、前記既設構造物は、上部側に形成され下部側よりも前記コンクリート構造物側に突出する突出部を有し、前記突出部の下側には空部が形成されていて、前記コンクリート構造物が構築される領域における前記突出部と近接して対向する外側面に沿って外側型枠を仮設する外側型枠仮設工程と、前記コンクリート構造物が構築される領域における前記突出部と離間する内側面に沿って内側型枠を仮設する内側型枠仮設工程と、前記外側型枠と前記内側型枠との間にコンクリートを充填してコンクリート構造物を構築するコンクリート充填工程と、前記コンクリート充填工程の後に、前記内側型枠を撤去する内側型枠撤去工程と、前記コンクリート充填工程の後に、前記外側型枠を撤去する外側型枠撤去工程と、を有し、前記外側型枠仮設工程は、前記外側面と前記突出部との隙間を下側から覆う下板部を前記空部から仮設する下板部仮設工程と、下板部仮設工程の後に、前記下板部の上側において前記外側面に沿って外側押さえ部を仮設する外側押さえ部仮設工程と、前記下板部の上側において前記外側押さえ部と前記突出部との間に砂を充填する砂充填工程と、を有し、前記外側型枠撤去工程は、前記下板部を撤去し、前記砂を前記空部に落下させて前記外側押さえ部と前記突出部との間から撤去する砂撤去工程と、構築された前記コンクリート構造物と前記既設構造物との間から前記外側押さえ部を撤去する外側押さえ部撤去工程と、を有することを特徴とする。
【０００７】
また、本発明に係る型枠構造では、既設構造物に隣接して新設のコンクリート構造物を構築するための型枠構造において、前記既設構造物は、上部側に形成され下部側よりも前記コンクリート構造物側に突出する突出部を有し、前記突出部の下側には空部が形成されていて、前記型枠構造は、前記コンクリート構造物が構築される領域おける前記突出部と近接して対向する外側面に沿って仮設される外側型枠を有し、前記外側型枠は、前記外側面と前記突出部との隙間の下側を覆うように仮設可能な下板部と、前記下板部の上側において前記外側面に沿って仮設可能な外側押さえ部と、前記下板部の上側において前記外側押さえ部と前記突出部との間に充填可能な砂と、を有することを特徴とする。
【０００８】
本発明では、外側型枠の外側押さえ部と突出部との間に砂を充填する構成である。これにより、外側押さえ部と突出部との間が狭隘で手を入れることができずセパレータを設けることができなくても、上側から外側押さえ部と突出部との間に砂を充填することによって外側押さえ部と突出部とを所望の間隔をあけた状態に維持することができる。
また、下板部を撤去することで外側押さえ部と突出部との間の砂が空部に落下するように構成されている。これにより、外側押さえ部と突出部との間が狭隘で作業者が手を入れることができなくても、砂を外側押さえ部と突出部との間から撤去することができる。
砂が撤去されると外側押さえ部をコンクリート構造物と突出部との間から上方または下方へ移動させれば撤去することができる。
このように、本発明では、既設構造物と新設のコンクリート構造物との間が狭隘な場合でも、新設のコンクリート構造物を構築することができる。
【０００９】
また、本発明に係るコンクリート構造物の構築方法では、前記外側押さえ部は、前記外側面に沿って仮設される押さえ板部と、上下方向に延びる向きで前記押さえ板部の前記突出部側に固定されたＣ形鋼と、を有し、前記砂充填工程では、前記Ｃ形鋼の内部にも前記砂を充填するようにしてもよい。
【００１０】
また、本発明に係る型枠構造では、前記外側押さえ部は、前記外側面に沿って仮設される押さえ板部と、上下方向に延びる向きで前記押さえ板部の前記突出部側に固定されたＣ形鋼と、を有し、前記砂は、前記Ｃ形鋼の内部にも充填されていてもよい。
【００１１】
このような構成とすることにより、Ｃ形鋼によって外側押さえ部の剛性を向上させることができる。また、Ｃ形鋼の内部にも砂を充填することにより、外側押さえ部と突出部との間隔を確実に維持することができる。
【発明の効果】
【００１２】
本発明によれば、既設構造物と新設のコンクリート構造物との間が狭隘な場合でも、新設のコンクリート構造物を構築することができる。
【図面の簡単な説明】
【００１３】
【図１】本発明の実施形態によるコンクリート構造物の一例を示す図である。
【図２】本発明の実施形態によるコンクリート構造物の構築方法を説明する図である。
【図３】図２のＡ部分の拡大図である。
【図４】図３のＢ−Ｂ線断面に対応する断面図である。
【発明を実施するための形態】
【００１４】
以下、本発明の実施形態によるコンクリート構造物の構築方法および型枠構造について、図１乃至図４に基づいて説明する。
図１に示すように、本実施形態では、構造物の床スラブ１に形成された上側に開口する第１ピット１１の内部に、空気ばねなどの支持部材２を介して浮基礎３が設けられている。浮基礎３は、支持部材２に支持されることにより、振動を受けた際に床スラブ１に対して上下方向に変位可能に構成されている。以下の説明における浮基礎３の配置は、振動を受けていない通常時の浮基礎３の配置とする。
浮基礎３は、床スラブ１が構築された後に第１ピット１１の内部に構築されている。本実施形態では、浮基礎３が本発明のコンクリート構造物に相当し、床スラブ１が本発明の既設構造物に相当している。
【００１５】
床スラブ１は、第１ピット１１の底版となる第１底版部１２と、第１底版部１２から上側に立ち上がり第１ピット１１の側壁となる第１側壁部１３と、を有している。第１側壁部１３は、第１ピット１１に配置される浮基礎３の四方を囲むように形成されている。なお、第１側壁部１３には、内側（ピット側）と外側とを連通する開口部（不図示）が適宜形成されている。
【００１６】
第１側壁部１３は、第１底版部１２から第１側壁部１３の高さ方向の中間部までの第１下側壁部１３１と、第１下側壁部１３１の上側となる第１上側壁部１３２と、から構成されている。本実施形態では、第１下側壁部１３１は、約２３００ｍｍの高さに形成され、第１上側壁部１３２は、約３８００ｍｍの高さに形成されている。図１および図２では、第１下側壁部１３１と第１上側壁部１３２との境界を破線で示している。
第１上側壁部１３２は、第１下側壁部１３１よりも第１ピット１１の内側に突出している。第１上側壁部１３２のうち、第１下側壁部１３１よりも第１ピット１１の内側に突出している部分を突出部１３３とする。
【００１７】
突出部１３３の突出側の端面（第１ピット１１に対向する面）１３３ａは、第１下側壁部１３１の壁面（第１ピット１１の内側を向く面）１３１ａと平行となる鉛直面に形成されている。突出部１３３の下面１３３ｂは、突出側から基端側に向かって漸次下側に向かう傾斜面に形成されている。突出部１３３の下面１３３ｂは、第１下側壁部１３１の壁面１３１ａと角部を形成するように接続されている。
突出部１３３は、第１下側壁部１３１よりも約１１００ｍｍ第１ピット１１の内側に突出している。
第１側壁部１３の上端面１３ａは、平坦面に形成されている。
【００１８】
突出部１３３の下側には、突出部１３３の下面１３３ｂと、第１下側壁部１３１の壁面１３１ａと、に囲まれた空部１４が形成されている。空部１４は、第１側壁部１３全体に沿った水平方向に延びている。空部１４は、支持部材２の点検などを行うために作業者が通ることが可能な大きさに形成されている。
本実施形態では、空部１４は、第１側壁部１３全体に沿った水平方向に約１１００ｍｍの幅で延びていて、第１下側壁部１３１の高さに相当する約２３００ｍｍの高さに形成されている。
【００１９】
浮基礎３は、第１底版部１２の上に配置される第２底版部３２と、第２底版部３２の縁部から上側に立ち上がる第２側壁部３３と、を有している。浮基礎３における第２底版部３２の上側で第２側壁部３３の内側は、空部となっており第２ピット３１が形成されている。浮基礎３は、平面視形状（上方から見た形状）において第１側壁部１３の突出部１３３よりも約１００ｍｍ内側となる位置に配置されている。
第２底版部３２は、縁部近傍において下側から支持部材２に支持されている。第２底版部３２の上面は、第１側壁部１３の第１下側壁部１３１の上端部よりも下側に配置されている。
【００２０】
第２側壁部３３は、上端面３３ａが床スラブ１の上端面１３ａと略同じ高さとなるように構築されている。第２側壁部３３は、下部側が空部１４を介して第１側壁部１３の第１下側壁部１３１と対向し、上部側が第１側壁部１３の第１上側壁部１３２と対向している。第２側壁部３３のうち、第１下側壁部１３１と対向する部分を第２下側壁部３３１とし、第１上側壁部１３２と対向する部分を第２上側壁部３３２とする。
第２下側壁部３３１の外側面（第１側壁部１３と対向する面）３３１ａと、第２上側壁部３３２の外側面３３２ａとは、ともに鉛直面となる平坦面で面一となるように形成されている。
第２下側壁部３３１と第１下側壁部１３１との間隔は、約１２００ｍｍに設定されている。第２上側壁部３３２と第１上側壁部１３２の突出部１３３との間隔は、約１００ｍｍに設定されている。
【００２１】
続いて、浮基礎３の構築方法（コンクリート構造物の構築方法）について説明する。
浮基礎３の構築方法は、第２底版部３２を構築して支持部材２に支持させる底版部構築工程と、第２底版部３２の上側に第２側壁部３３を構築する側壁部構築工程と、を有している。
底版部構築工程では、第１底版部１２の上で第２底版部３２の型枠を組みコンクリートを打設して硬化させて脱型して第２底版部３２を構築し、第２底版部３２を支持部材２に載置して支持部材２に支持させる。
【００２２】
側壁部構築工程は、底版部構築工程で構築された第２底版部３２の上に構台４を仮設して行う。
側壁部構築工程は、第２下側壁部３３１を構築する下側壁部構築工程と、第２下側壁部３３１が構築された後に第２下側壁部３３１の上側に第２上側壁部３３２を構築する上側壁部構築工程と、を有している。
下側壁部構築工程では、第２底版部３２の上側に第２下側壁部３３１の型枠を組み、コンクリートを打設して硬化させて脱型して第２底版部３２と連続する第２下側壁部３３１を構築する。
上述したように、第２下側壁部３３１は、第１下側壁部１３１と空部１４を介して対向し、第１下側壁部１３１との間に約１１００ｍｍの間隔が形成される。このため、第２下側壁部３３１の構築は、一般的に使用される型枠を用いて行う。本実施形態では、下側壁部構築工程において、所定の高さごとにコンクリートを打ち継いで行うものとしている。
【００２３】
上側壁部構築工程では、まず、図２に示すような第２上側壁部３３２の外側（第１側壁部１３側）に配置される外側型枠５を仮設する（外側型枠仮設工程）。
本実施形態の外側型枠５は、本発明の型枠構造で構成されている。図２では、第２上側壁部３３２を実線で示している。
図２乃至図４に示すように、外側型枠５は、第２側壁部３３が構築される領域と突出部１３３との隙間を下側から覆う下板部５１（図２および図３参照）と、突出部１３３の下側の空部１４に設けられ下板部５１を下側から支持するサポート５２（図２および図３参照）と、下板部５１の上側に配置され第２上側壁部３３２の外側面３３２ａを形成する外側押さえ部５３と、下板部５１の上側で外側押さえ部５３と突出部１３３との間に充填される砂５４と、を有している。
【００２４】
下板部５１は、長尺の平板状に形成され、板面が上下方向を向き、第１側壁部１３に沿って水平方向に延びる向きに配置されている。図３に示すように、下板部５１は、上側に仮設される外側押さえ部５３と、突出部１３３との隙間全体の下側に配置されている。本実施形態では、下板部５１は、上面のうちの第１側壁部１３側の縁部近傍が突出部１３３の下面１３３ｂと当接し、第１側壁部１３と離間する側の縁部が既に構築されている第２下側壁部３３１の外側面３３１ａと当接している。これにより、下板部５１は、上側に配置される外側押さえ部５３と突出部１３３との間に充填された砂５４が下側に落下しないように押さえることができる。
【００２５】
サポート５２は、上下方向に延びる棒状に形成されている。サポート５２は、下端部５２ａが第１底版部１２の上面１２ａと当接し、上端部５２ｂが下板部５１の下面と当接し、第１底版部１２と下板部５１とを互いに離間させるように突っ張ることで下板部５１を支持している。なお、サポート５２を外すことで下板部５１を第１側壁部１３および第２側壁部３３から取り外すことができる。
【００２６】
図３および図４に示すように、外側押さえ部５３は、第２上側壁部３３２の外側面３３２ａを形成するように仮設される押さえ板部５３１と、押さえ板部５３１の外側（第１側壁部１３側）に固定されたＣ形鋼５３２と、を有している。
押さえ板部５３１は、重なった２枚の板材で構成されている。板材としては、例えば、コンパネ（コンクリートパネル）やべニア板が採用される。本実施形態では、外側押さえ部５３に１２ｍｍの板材を採用していて、押さえ板部５３１の厚さ寸法は、２４ｍｍ（１２ｍｍ×２）となっている。
押さえ板部５３１は、板面が第１上側壁部１３２の突出部１３３の突出側の端面１３３ａと対向する向きに配置されている。
【００２７】
Ｃ形鋼５３２は、上下方向に延びる向きでボルト・ナットなどの固定具５３３で押さえ板部５３１に固定されている。本実施形態では、Ｃ形鋼５３２は、ウェブが押さえ板部５３１と当接し、突出部１３３側に開口する向きに配置されている。
固定具５３３は、押さえ板部５３１の内側面（第２側壁部３３が構築される側の面）５３１ａから突出しないようにＣ形鋼５３２のウェブを押さえ板部５３１に固定している。本実施形態では、押さえ板部５３１の２枚の板材のうちの内側に配置された板材に、固定具５３３のボルトの頭部５３３ａが嵌合する孔部５３４が形成され、ボルトの頭部５３３ａの端面５３３ｂと押さえ板部５３１の内側面５３１ａとが略面一となるように設定されている。
【００２８】
本実施形態では、サイズが１００×５０×２０×３．２のＣ形鋼５３２を採用している。Ｃ形鋼５３２は、押さえ板部５３１に固定されると、押さえ板部５３１の厚さ方向の寸法が５０ｍｍとなる。
【００２９】
外側押さえ部５３の厚さ寸法は、押さえ板部５３１の厚さ寸法２４ｍｍとＣ形鋼５３２の厚さ寸法５０ｍｍを合せた７４ｍｍとなる。このため、第２上側壁部３３２と第１上側壁部１３２の突出部１３３との間の寸法が１００ｍｍであっても。外側押さえ部５３を第２上側壁部３３２と第１上側壁部１３２の突出部１３３との間に配置することができる。
外側押さえ部５３は、下端部が下板部５１の上面５１ａと当接し、第１側壁部１３の上端部（床スラブ１の上端部）よりも上側に突出するように下板部５１の上に仮設される。
【００３０】
本実施形態では、外側押さえ部５３のＣ形鋼５３２の下端部近傍と第１上側壁部１３２の突出部１３３の下端部近傍との間にＣ形鋼５３２と突出部１３３との間隔を保持するキャンバー５５が設けられている。これにより、外側押さえ部５３の下部側が位置ずれしないように構成されている。
本実施形態では、外側押さえ部５３の上端部は、床スラブ１の第１側壁部１３の上部に設けられたパイプサポートなどの固定部材５６（図１参照）によって床スラブ１に固定されている。これにより、外側押さえ部５３の上部側が位置ずれしないように構成されている。
【００３１】
砂５４は、例えば山砂などで、下板部５１の上で外側押さえ部５３と第１側壁部１３の突出部１３３との間全体に上側から充填されるように構成されている。本実施形態では、砂５４はＣ形鋼５３２の内部にも充填されるように構成されている。外側押さえ部５３と突出部１３３との間に充填された砂５４は、必要に応じて締め固められている。
砂５４は、外側押さえ部５３と突出部１３３との間に充填されることにより、外側押さえ部５３と突出部１３３との間隔を保持し、外側押さえ部５３の移動を防止している。このため、外側押さえ部５３と第１側壁部１３の突出部１３３との間にセパレータを設ける必要がない。
砂５４は、サポート５２が外されて、下板部５１が第１側壁部１３および第２側壁部３３から取り外されると、下方に排出されるように構成されている。本実施形態では、砂５４は、突出部１３３の下側の空部１４に排出されるように構成されている。
【００３２】
外側型枠仮設工程では、まず、下板部５１を仮設する（下板部仮設工程）。
下板部５１を突出部１３３の下側に配置し、突出部１３３の下面１３３ｂおよび既に構築された第２下側壁部３３１の外側面３３１ａに当接させる。下板部５１を第１底版部１２の仮設したサポート５２で下側から支持する。
下板部仮設工程で仮設された下板部５１の上側に、外側押さえ部５３を仮設する（外側押さえ部仮設工程）。
外側押さえ部５３を第２上側壁部３３２の外側面３３２ａが形成される位置に沿って配置する。押さえ板部５３１の下端部と突出部１３３との間にキャンバー５５を設置し、押さえ板部５３１の上端部を床スラブ１の第１側壁部１３の上部に設けられた固定部材５６で床スラブ１に固定する。
外側押さえ部仮設工程の後に、下板部５１の上で外側押さえ部５３と突出部１３３との間に砂５４を充填する（砂充填工程）。
Ｃ形鋼５３２の内部にも砂５４を充填する。外側押さえ部５３と突出部１３３との間に砂５４を充填することによって、外側押さえ部５３が外側に移動することを防止する。
【００３３】
続いて、第２上側壁部３３２の内側（第１側壁部１３と離間する側）に配置される内側型枠を仮設する（内側型枠仮設工程）。
内側型枠は、コンクリート構造の壁部を構築する際に使用される公知の構造のものとする。内側型枠の仮設や固定は、構台４を利用して行う。
構台４は、第２底版部３２の上で、第２下側壁部３３１および第２上側壁部３３２よりも約８００ｍｍ内側にＨ形鋼などの鋼材で組み立てられている。構台４と内側型枠との間は、作業者が通ることができるとともに、スペーサを設けることができるように構成されている。
【００３４】
内側型枠仮設工程の後に、内側型枠と外側型枠５との間に適宜配筋を行い、コンクリートを充填する（コンクリート充填工程）。
上側壁部構築工程においても、所定の高さごとにコンクリートを打ち継いで行ってもよい。このため、内側型枠仮設工程では、上側壁部の高さ方向全体の内側型枠を一度に仮設せずに、まず下側の層の内側型枠を仮設し、下側の層の内側型枠と外側型枠５との間に下側の層のコンクリートを充填するコンクリート充填工程を行った後に、上側の層の内側型枠仮設工程を行い、上側の層のコンクリート充填工程を行うようにしてもよい。
【００３５】
コンクリートが硬化し、所定の強度が発現したら、内側型枠を撤去する（内側型枠撤去工程）とともに、外側型枠５を撤去する（外側型枠撤去工程）。
内側型枠撤去工程は、公知の方法で適宜行う。
外側型枠撤去工程は、まず、サポート５２および下板部５１を撤去し、外側押さえ部５３と突出部１３３との間の砂５４を空部１４に落下させて撤去する（砂撤去工程）。
砂撤去工程では、サポート５２を緩めて下板部５１から外し、下板部５１を押さえ板部５３１と突出部１３３から外す。これにより、外側押さえ部５３と突出部１３３との間の砂５４が空部１４に落下する。空部１４に落下した砂５４は、作業者が収集して撤去する。
このとき、外側押さえ部５３は、固定部材５６を介して床スラブ１の第１側壁部１３に固定されているため、下板部５１が撤去され、砂５４が落下しても、落下せずに同じ位置に留まっている。下板部５１の撤去もしくは砂５４の撤去の際に、キャンバー５５も撤去する。
【００３６】
続いて、外側押さえ部５３を撤去する（外側押さえ部撤去工程）。
外側押さえ部撤去工程では、外側押さえ部５３から固定部材５６を取り外して、外側押さえ部５３を床スラブ１の第１側壁部１３から外すとともに、レッカーなどの重機で外側押さえ部５３を吊り上げて、第１側壁部１３の突出部１３３と第２側壁部３３との間から取り出して撤去する。
内側型枠撤去工程および外側型枠撤去工程が完了したら構台４を撤去する。
このようにして浮基礎３が完成する。
【００３７】
次に、上述した浮基礎３の構築方法（コンクリート構造物の構築方法）および外側型枠５（型枠構造）の作用・効果について図面を用いて説明する。
本実施形態による浮基礎３の構築方法および外側型枠５では、外側型枠５の外側押さえ部５３と突出部１３３との間に砂５４を充填する構成である。これにより、外側押さえ部５３と突出部１３３との間が狭隘で手を入れることができずセパレータを設けることができなくても、上側から外側押さえ部５３と突出部１３３との間に砂５４を充填することによって外側押さえ部５３と突出部１３３とを所望の間隔をあけた状態に維持することができる。
また、下板部５１を撤去することで外側押さえ部５３と突出部１３３との間の砂５４が空部１４に落下するように構成されている。これにより、外側押さえ部５３と突出部１３３との間が狭隘で作業者が手を入れることができなくても、砂５４を外側押さえ部５３と突出部１３３との間から撤去することができる。
砂５４が撤去されると外側押さえ部５３をコンクリート構造物と突出部１３３との間から上方または下方へ移動させれば撤去することができる。
このように、本発明では、既設構造物と新設のコンクリート構造物との間が狭隘な場合でも、新設のコンクリート構造物を構築することができる。
【００３８】
また、外側押さえ部５３は、押さえ板部５３１にＣ形鋼５３２が固定された構成であることにより、Ｃ形鋼５３２によって外側押さえ部５３の剛性を向上させることができる。また、Ｃ形鋼５３２の内部にも砂５４を充填することにより、外側押さえ部５３と突出部１３３との間隔を確実に維持することができる。
【００３９】
以上、本発明によるコンクリート構造物の構築方法および型枠構造の実施形態について説明したが、本発明は上記の実施形態に限定されるものではなく、その趣旨を逸脱しない範囲で適宜変更可能である。
例えば、上記の実施形態では、既設構造物が床スラブ１であり、新設されるコンクリート構造物が浮基礎３である。本発明は、コンクリート構造物と既設構造物との間隔が、上部側では一般的な型枠を仮設することが困難な狭隘な間隔であっても本発明の外側型枠を設置できて、下部側では落下した外側型枠５の砂５４を一時的に収容できて作業者が作業を行うことができれば、既設構造物および新設されるコンクリート構造物の形態は上記以外であってもよい。
【００４０】
また、上記の実施形態では、外側押さえ部５３の押さえ板部５３１は、２枚の重ねられた板材で構成されているが、１枚や３枚以上の板材で構成されていてもよい。押さえ板部５３１の材料も適宜設定されてよい。
また、上記の実施形態では、外側押さえ部５３は、押さえ板部５３１にＣ形鋼５３２が固定された形態であるが、第２上側壁部３３２の外側面３３２ａを形成できる構成であれば、上記以外の形態であってもよい。また、外側押さえ部５３は、押さえ板部５３１にＣ形鋼５３２に代わる形鋼や鋼材、木材などが固定された形態であってもよい。
また、外側押さえ部５３が押さえ板部５３１にＣ形鋼５３２が固定された形態である場合、Ｃ形鋼５３２の向きは適宜設定されてよい。
外側型枠５の形態は、コンクリート構造物の型枠として機能し、第１上側壁部１３２と第２上側壁部３３２との間に仮設可能な寸法であれば、上記以外の形態であってもよい。
また、外側押さえ部５３と床スラブ１との固定方法は、上記以外であってもよい。
【符号の説明】
【００４１】
１  床スラブ（既設構造物）
３  浮基礎（コンクリート構造物）
５  外側型枠（型枠構造）
１４  空部
５１  下板部
５３  外側押さえ部
５４  砂
１３３  突出部
３３２ａ  外側面
５３１  押さえ板部
５３２  Ｃ形鋼
【図１】
2019015063.tif 000003
【図２】
2019015063.tif 000004
【図３】
2019015063.tif 000005
【図４】
2019015063.tif 000006